(57)【要約】【課題】ディジタルＴＶ放送信号を受信するディジタルＴＶ放送信号受信装置において、ユーザによって選択されたチャンネルの前後のチャンネルのテレビ番組を、動画で確認できるようにする。【解決手段】ディジタルＴＶ放送信号受信装置は、ユーザによって選択されたチャンネルが含まれる物理チャンネルに複数のサブチャンネルが存在する場合に（＃１でＹＥＳ）、ユーザによって選択されたチャンネルが含まれる物理チャンネルを第１のチューナに受信させると共に、ユーザによって選択されたチャンネルの前又は後のチャンネルを第２のチューナに受信させ、ユーザによって選択されたチャンネルの映像信号、及び、ユーザによって選択されたチャンネルの前後のチャンネルの映像信号を抽出し、ユーザによって選択されたチャンネルの映像信号を親画面として出力すると共に、ユーザによって選択されたチャンネルの前後のチャンネルの映像信号を子画面として出力する（＃４，＃５）。【選択図】  図３
2006067205.tif 000002
【特許請求の範囲】
【請求項１】
第１のディジタルテレビジョン放送信号を受信する第１のチューナと、
第２のディジタルテレビジョン放送信号を受信する第２のチューナと、
前記第１のチューナにより受信した第１のディジタルテレビジョン放送信号からテレビ番組の映像信号を抽出する第１の映像信号抽出手段と、
前記第２のチューナにより受信した第２のディジタルテレビジョン放送信号からテレビ番組の映像信号を抽出する第２の映像信号抽出手段と、
前記第１の映像信号抽出手段及び前記第２の映像信号抽出手段により抽出された複数の映像信号について、１つのテレビ番組の映像信号を親画面とし、このテレビ番組以外の映像信号を、その画像サイズを圧縮して、前記親画面の一部分に子画面として合成してモニタ出力する画像合成出力手段と、
前記第１の映像信号抽出手段又は前記第２の映像信号抽出手段により抽出された１フレーム分の映像信号を静止画として記憶するキャプチャ手段と、
ユーザによるチャンネル選択操作に基づいて前記第１のチューナ及び前記第２のチューナを制御し、チャンネルの選局処理を制御するチャンネル制御手段と、
を備えたディジタルテレビジョン放送信号受信装置において、
ユーザによって選択されたチャンネルが含まれる物理チャンネルに複数のサブチャンネルが存在するか否か判断すると共に、複数のサブチャンネルが存在する場合には、これらサブチャンネルのうちでユーザによって選択されたチャンネル以外のサブチャンネルが、ユーザによって選択されたチャンネルより前にあるか後にあるか判断する判断手段を更に有し、
前記判断手段により、ユーザによって選択されたチャンネルが含まれる物理チャンネルに複数のサブチャンネルが存在しないと判断される場合に、
前記チャンネル制御手段は、ユーザによって選択されたチャンネルを前記第１のチューナに受信させると共に、ユーザによって選択されたチャンネルの前のチャンネル又は後のチャンネルを前記第２のチューナに受信させ、
前記第１の映像信号抽出手段は、ユーザによって選択されたチャンネルの映像信号を抽出し、
前記第２の映像信号抽出手段は、ユーザによって選択されたチャンネルの前のチャンネル又は後のチャンネルの映像信号を抽出し、
前記キャプチャ手段は、ユーザによって選択されたチャンネルの前のチャンネル及び後のチャンネルのうち、前記第２のチューナにより受信されない方のチャンネルの静止画を記憶し、
前記画像合成出力手段は、ユーザによって選択されたチャンネルの映像信号を親画面として出力すると共に、ユーザによって選択されたチャンネルの前のチャンネル及び後のチャンネルのうちのいずれか一方のチャンネルの映像信号を子画面として出力し、もう一方のチャンネルの静止画を子画面として出力し、
前記判断手段により、ユーザによって選択されたチャンネルが含まれる物理チャンネルに複数のサブチャンネルが存在すると判断され、且つ、ユーザによって選択されたチャンネル以外のサブチャンネルが、ユーザによって選択されたチャンネルより前にあると判断される場合に、
前記チャンネル制御手段は、ユーザによって選択されたチャンネルが含まれる物理チャンネルを前記第１のチューナに受信させると共に、ユーザによって選択されたチャンネルの後のチャンネルを前記第２のチューナに受信させ、
前記第１の映像信号抽出手段は、ユーザによって選択されたチャンネルの映像信号、及びユーザによって選択されたチャンネルの前のチャンネルの映像信号を抽出し、
前記第２の映像信号抽出手段は、ユーザによって選択されたチャンネルの後のチャンネルの映像信号を抽出し、
前記画像合成出力手段は、ユーザによって選択されたチャンネルの映像信号を親画面として出力すると共に、ユーザによって選択されたチャンネルの前のチャンネル及び後のチャンネルの映像信号を子画面として出力し、
前記判断手段により、ユーザによって選択されたチャンネルが含まれる物理チャンネルに複数のサブチャンネルが存在すると判断され、且つ、ユーザによって選択されたチャンネル以外のサブチャンネルが、ユーザによって選択されたチャンネルより後にあると判断される場合に、
前記チャンネル制御手段は、ユーザによって選択されたチャンネルが含まれる物理チャンネルを前記第１のチューナに受信させると共に、ユーザによって選択されたチャンネルの前のチャンネルを前記第２のチューナに受信させ、
前記第１の映像信号抽出手段は、ユーザによって選択されたチャンネルの映像信号、及びユーザによって選択されたチャンネルの後のチャンネルの映像信号を抽出し、
前記第２の映像信号抽出手段は、ユーザによって選択されたチャンネルの前のチャンネルの映像信号を抽出し、
前記画像合成出力手段は、ユーザによって選択されたチャンネルの映像信号を親画面として出力すると共に、ユーザによって選択されたチャンネルの前のチャンネル及び後のチャンネルの映像信号を子画面として出力することを特徴とするディジタルテレビジョン放送信号受信装置。
【請求項２】
第１のディジタルテレビジョン放送信号を受信する第１のチューナと、
第２のディジタルテレビジョン放送信号を受信する第２のチューナと、
前記第１のチューナにより受信した第１のディジタルテレビジョン放送信号からテレビ番組の映像信号を抽出する第１の映像信号抽出手段と、
前記第２のチューナにより受信した第２のディジタルテレビジョン放送信号からテレビ番組の映像信号を抽出する第２の映像信号抽出手段と、
前記第１の映像信号抽出手段及び前記第２の映像信号抽出手段により抽出された複数の映像信号について、１つのテレビ番組の映像信号を親画面とし、このテレビ番組以外の映像信号を、その画像サイズを圧縮して、前記親画面の一部分に子画面として合成してモニタ出力する画像合成出力手段と、
を備えたディジタルテレビジョン放送信号受信装置において、
前記画像合成出力手段は、ユーザによって選択されたチャンネルが含まれる物理チャンネルに複数のサブチャンネルが存在する場合に、
ユーザによって選択されたチャンネルの映像信号を親画面として出力すると共に、ユーザによって選択されたチャンネルの前のチャンネル及び後のチャンネルの映像信号を子画面として出力することを特徴とするディジタルテレビジョン放送信号受信装置。
【請求項３】
前記第１の映像信号抽出手段又は前記第２の映像信号抽出手段により抽出された１フレーム分の映像信号を静止画として記憶するキャプチャ手段を更に備え、
前記画像合成出力手段は、ユーザによって選択されたチャンネルが含まれる物理チャンネルに複数のサブチャンネルが存在しない場合に、
ユーザによって選択されたチャンネルの映像信号を親画面として出力すると共に、ユーザによって選択されたチャンネルの前のチャンネル及び後のチャンネルのうちのいずれか一方のチャンネルの映像信号を子画面として出力し、もう一方のチャンネルの静止画を子画面として出力することを特徴とする請求項２に記載のディジタルテレビジョン放送信号受信装置。
【発明の詳細な説明】
【技術分野】
【０００１】
本発明はディジタルテレビジョン放送信号を受信するディジタルテレビジョン放送信号受信装置に関する。
【背景技術】
【０００２】
近年、ディジタルテレビジョン（ＴＶ）放送が実用化されている。ディジタルＴＶ放送では、複数のテレビ番組の映像や音声をディジタル圧縮技術により圧縮符号化した後、時分割多重化し、その信号を所定周波数帯域の高周波電波に変調してＴＶ放送信号として配信している。なお、ディジタルＴＶ放送では、複数のテレビ番組の放送信号を多重化した所定周波数帯域のＴＶ放送信号を物理チャンネルと呼び、その周波数帯域に多重化される個々のテレビ番組の放送信号をサブチャンネルと呼んでいる。
【０００３】
一方、ディジタルＴＶ放送を受信するディジタルＴＶ放送信号受信装置は、ユーザがリモコン等により視聴したい番組のチャンネル（すなわち物理チャンネルとサブチャンネル）を選択すると、その物理チャンネルに対応する周波数帯域の高周波電波を受信し、その受信信号を復調することにより、圧縮符号化された複数のテレビ番組の映像や音声等の信号が時分割多重化された状態の信号を得ることができる。この信号はＴＳ（Transport  Stream）と呼ばれ、このＴＳには、各テレビ番組の映像や音声等の要素信号が納められたＴＳパケットが多重されている。ディジタルＴＶ放送信号受信装置は、このＴＳから各サブチャンネルに対応するテレビ番組の映像信号や音声信号を含むＴＳパケットを分離抽出し、その映像信号や音声信号を圧縮符号化される前の状態に復号化してモニタ装置へ出力する。
【０００４】
ところで、従来から、表示画面を複数の領域に分割し、複数の番組映像を同時に出力することができる、いわゆる、ピクチャーインピクチャー（ＰｉｎＰ）や、ピクチャーアウトピクチャー（ＰｏｕｔＰ）等の機能を備えたＴＶ放送信号受信装置等が知られている（例えば、特許文献１乃至特許文献３参照）。例えば、特許文献１又は特許文献２に記載される装置によれば、２つのチューナを備えることにより、親画面として表示されているチャンネルの前後のチャンネルの映像を子画面として表示することが可能である。
【特許文献１】特開平８−１４０００７号公報
【特許文献２】特開平７−１０７４１０号公報
【特許文献３】特開平５−１９１７３７号公報
【発明の開示】
【発明が解決しようとする課題】
【０００５】
しかしながら、上述した特許文献１又は特許文献２に記載される装置においては、子画面の少なくとも一方は擬似動画又は静止画であり、２つのチューナのみでは、親画面として表示されているチャンネルの前後のチャンネルを、子画面として動画で表示することはできなかった。このため、ユーザは親画面として選択したチャンネルの前後のチャンネルのテレビ番組を動画で確認することができなかった。一方、ディジタルＴＶ放送においては、上述したように１つの物理チャンネルに複数のサブチャンネルが含まれる場合があるため、２つのチューナで２以上のチャンネルを受信することが可能である。しかしながら、従来のディジタルＴＶ放送信号受信装置では、親画面として表示されているチャンネルの前後のチャンネルを、子画面として動画で表示することができず、ユーザは選択したチャンネルの前後のチャンネルのテレビ番組を、動画で確認することができなかった。
【０００６】
本発明は、上記課題を解決するためになされたものであり、ユーザによって選択されたチャンネルが含まれる物理チャンネルに複数のサブチャンネルが存在する場合に、ユーザによって選択されたチャンネルの前後のチャンネルのテレビ番組を、動画で確認することができるディジタルテレビジョン放送受信装置を提供することを目的とする。
【課題を解決するための手段】
【０００７】
上記目的を達成するために請求項１の発明は、第１のディジタルテレビジョン放送信号を受信する第１のチューナと、第２のディジタルテレビジョン放送信号を受信する第２のチューナと、前記第１のチューナにより受信した第１のディジタルテレビジョン放送信号からテレビ番組の映像信号を抽出する第１の映像信号抽出手段と、前記第２のチューナにより受信した第２のディジタルテレビジョン放送信号からテレビ番組の映像信号を抽出する第２の映像信号抽出手段と、前記第１の映像信号抽出手段及び前記第２の映像信号抽出手段により抽出された複数の映像信号について、１つのテレビ番組の映像信号を親画面とし、このテレビ番組以外の映像信号を、その画像サイズを圧縮して、前記親画面の一部分に子画面として合成してモニタ出力する画像合成出力手段と、前記第１の映像信号抽出手段又は前記第２の映像信号抽出手段により抽出された１フレーム分の映像信号を静止画として記憶するキャプチャ手段と、ユーザによるチャンネル選択操作に基づいて前記第１のチューナ及び前記第２のチューナを制御し、チャンネルの選局処理を制御するチャンネル制御手段とを備えたディジタルテレビジョン放送信号受信装置において、ユーザによって選択されたチャンネルが含まれる物理チャンネルに複数のサブチャンネルが存在するか否か判断すると共に、複数のサブチャンネルが存在する場合には、これらサブチャンネルのうちでユーザによって選択されたチャンネル以外のサブチャンネルが、ユーザによって選択されたチャンネルより前にあるか後にあるか判断する判断手段を更に有し、前記判断手段により、ユーザによって選択されたチャンネルが含まれる物理チャンネルに複数のサブチャンネルが存在しないと判断される場合に、前記チャンネル制御手段は、ユーザによって選択されたチャンネルを前記第１のチューナに受信させると共に、ユーザによって選択されたチャンネルの前のチャンネル又は後のチャンネルを前記第２のチューナに受信させ、前記第１の映像信号抽出手段は、ユーザによって選択されたチャンネルの映像信号を抽出し、前記第２の映像信号抽出手段は、ユーザによって選択されたチャンネルの前のチャンネル又は後のチャンネルの映像信号を抽出し、前記キャプチャ手段は、ユーザによって選択されたチャンネルの前のチャンネル及び後のチャンネルのうち、前記第２のチューナにより受信されない方のチャンネルの静止画を記憶し、前記画像合成出力手段は、ユーザによって選択されたチャンネルの映像信号を親画面として出力すると共に、ユーザによって選択されたチャンネルの前のチャンネル及び後のチャンネルのうちのいずれか一方のチャンネルの映像信号を子画面として出力し、もう一方のチャンネルの静止画を子画面として出力し、前記判断手段により、ユーザによって選択されたチャンネルが含まれる物理チャンネルに複数のサブチャンネルが存在すると判断され、且つ、ユーザによって選択されたチャンネル以外のサブチャンネルが、ユーザによって選択されたチャンネルより前にあると判断される場合に、前記チャンネル制御手段は、ユーザによって選択されたチャンネルが含まれる物理チャンネルを前記第１のチューナに受信させると共に、ユーザによって選択されたチャンネルの後のチャンネルを前記第２のチューナに受信させ、前記第１の映像信号抽出手段は、ユーザによって選択されたチャンネルの映像信号、及びユーザによって選択されたチャンネルの前のチャンネルの映像信号を抽出し、前記第２の映像信号抽出手段は、ユーザによって選択されたチャンネルの後のチャンネルの映像信号を抽出し、前記画像合成出力手段は、ユーザによって選択されたチャンネルの映像信号を親画面として出力すると共に、ユーザによって選択されたチャンネルの前のチャンネル及び後のチャンネルの映像信号を子画面として出力し、前記判断手段により、ユーザによって選択されたチャンネルが含まれる物理チャンネルに複数のサブチャンネルが存在すると判断され、且つ、ユーザによって選択されたチャンネル以外のサブチャンネルが、ユーザによって選択されたチャンネルより後にあると判断される場合に、前記チャンネル制御手段は、ユーザによって選択されたチャンネルが含まれる物理チャンネルを前記第１のチューナに受信させると共に、ユーザによって選択されたチャンネルの前のチャンネルを前記第２のチューナに受信させ、前記第１の映像信号抽出手段は、ユーザによって選択されたチャンネルの映像信号、及びユーザによって選択されたチャンネルの後のチャンネルの映像信号を抽出し、前記第２の映像信号抽出手段は、ユーザによって選択されたチャンネルの前のチャンネルの映像信号を抽出し、前記画像合成出力手段は、ユーザによって選択されたチャンネルの映像信号を親画面として出力すると共に、ユーザによって選択されたチャンネルの前のチャンネル及び後のチャンネルの映像信号を子画面として出力することを特徴とする。
【０００８】
請求項２の発明は、第１のディジタルテレビジョン放送信号を受信する第１のチューナと、第２のディジタルテレビジョン放送信号を受信する第２のチューナと、前記第１のチューナにより受信した第１のディジタルテレビジョン放送信号からテレビ番組の映像信号を抽出する第１の映像信号抽出手段と、前記第２のチューナにより受信した第２のディジタルテレビジョン放送信号からテレビ番組の映像信号を抽出する第２の映像信号抽出手段と、前記第１の映像信号抽出手段及び前記第２の映像信号抽出手段により抽出された複数の映像信号について、１つのテレビ番組の映像信号を親画面とし、このテレビ番組以外の映像信号を、その画像サイズを圧縮して、前記親画面の一部分に子画面として合成してモニタ出力する画像合成出力手段とを備えたディジタルテレビジョン放送信号受信装置において、前記画像合成出力手段は、ユーザによって選択されたチャンネルが含まれる物理チャンネルに複数のサブチャンネルが存在する場合に、ユーザによって選択されたチャンネルの映像信号を親画面として出力すると共に、ユーザによって選択されたチャンネルの前のチャンネル及び後のチャンネルの映像信号を子画面として出力することを特徴とする。
【０００９】
請求項３の発明は、請求項２に記載のテレビジョン放送信号受信装置において、前記第１の映像信号抽出手段又は前記第２の映像信号抽出手段により抽出された１フレーム分の映像信号を静止画として記憶するキャプチャ手段を更に備え、前記画像合成出力手段は、ユーザによって選択されたチャンネルが含まれる物理チャンネルに複数のサブチャンネルが存在しない場合に、ユーザによって選択されたチャンネルの映像信号を親画面として出力すると共に、ユーザによって選択されたチャンネルの前のチャンネル及び後のチャンネルのうちのいずれか一方のチャンネルの映像信号を子画面として出力し、もう一方のチャンネルの静止画を子画面として出力することを特徴とする。
【発明の効果】
【００１０】
以上のように請求項１の発明によれば、ユーザによって選択されたチャンネルが含まれる物理チャンネルに複数のサブチャンネルが存在する場合に、ユーザによって選択されたチャンネルの映像信号が親画面として出力されると共に、ユーザによって選択されたチャンネルの前のチャンネル及び後のチャンネルの映像信号が子画面として出力されるので、ユーザは、選択したチャンネルの前のチャンネル及び後のチャンネルのテレビ番組を動画で確認することができる。
【００１１】
また、ユーザによって選択されたチャンネルが含まれる物理チャンネルに複数のサブチャンネルが存在しない場合に、ユーザによって選択されたチャンネルの映像信号が親画面として出力されると共に、ユーザによって選択されたチャンネルの前のチャンネル及び後のチャンネルのうちのいずれか一方のチャンネルの映像信号が子画面として出力され、もう一方のチャンネルの静止画が子画面として出力されるので、ユーザは、物理チャンネルに複数のサブチャンネルが存在しない場合であっても、選択したチャンネルの前のチャンネル及び後のチャンネルのテレビ番組を、動画及び静止画で確認することができる。
【００１２】
請求項２の発明によれば、ユーザによって選択されたチャンネルが含まれる物理チャンネルに複数のサブチャンネルが存在する場合に、ユーザによって選択されたチャンネルの前のチャンネル及び後のチャンネルの映像信号が子画面として出力されるので、ユーザは、選択したチャンネルの前のチャンネル及び後のチャンネルのテレビ番組を、動画で確認することができる。
【００１３】
請求項３の発明によれば、ユーザによって選択されたチャンネルが含まれる物理チャンネルに複数のサブチャンネルが存在しない場合に、ユーザによって選択されたチャンネルの前のチャンネル及び後のチャンネルの映像信号及び静止画が、子画面として出力されるので、ユーザは、物理チャンネルに複数のサブチャンネルが存在しない場合であっても、選択したチャンネルの前のチャンネル及び後のチャンネルのテレビ番組を、動画及び静止画で確認することができる。
【発明を実施するための最良の形態】
【００１４】
本発明の一実施形態に係るディジタルテレビジョン放送信号受信装置（以下、単にＴＶ放送信号受信装置という）について図１乃至図４を参照して説明する。図１に示されるように、ＴＶ放送信号受信装置１は、放送局から配信されるディジタルテレビジョン放送信号（以下、単にＴＶ放送信号という）をアンテナ１０を介して受信し、ＴＶ放送信号に含まれる映像信号及び音声信号をモニタ装置２に出力する装置であり、２つのチューナ１１Ａ，１１Ｂと、２つのＡＴＳＣフロントエンド１２Ａ，１２Ｂと、映像・音声処理部１３と、オンスクリーンディスプレイ部（ＯＳＤ）１４と、リモコン１５と、リモコン受信部１６と、制御部１７と、メモリ１８とを備えている。
【００１５】
ＴＶ放送信号受信装置１には、放送局から所定周波数の高周波電波で発信されるＴＶ放送信号を受信するためのアンテナ１０と、テレビ番組の映像を映し出すと共に音声を出力するモニタ装置２等が接続される。
【００１６】
チューナ１１Ａ，１１Ｂ（第１のチューナ，第２のチューナ）は、その受信周波数を、ユーザにより選択された物理チャンネルに対応する周波数に同調させることにより、選択された物理チャンネルのＴＶ放送信号をアンテナ１０を介して受信する。
【００１７】
ＡＴＳＣフロントエンド１２Ａ，１２Ｂ（第１の映像信号抽出手段、第２の映像信号抽出手段）は、チューナ１１Ａ，１１Ｂで受信したＴＶ放送信号の復調、誤り訂正処理を行い、多重化された信号から必要なＴＳパケットを分離し、ＴＶ放送信号受信装置１内の各ブロックへそれぞれ必要なＴＳパケットを供給する。映像信号を含むＴＳパケットはここで抽出され、映像・音声処理部１３に出力される。また、番組配列情報を含むＴＳパケットは制御部１７に出力される。
【００１８】
映像・音声処理部（画像合成出力手段）１３は、ＡＴＳＣフロントエンド１２Ａ，１２Ｂから入力される映像信号及び音声信号を含むＴＳパケットをデコードするＭＰＥＧ映像デコーダ及びＭＰＥＧ音声デコーダを備えている。また、映像・音声処理部１３は、ＡＴＳＣフロントエンド１２Ａ，１２Ｂにより抽出され、ＭＰＥＧデコーダによりデコードされた複数の映像信号について、１つのテレビ番組の映像信号を親画面とし、このテレビ番組以外の映像信号を、その画像サイズを圧縮して、親画面の一部分に子画面として合成してモニタ出力するＰｉｎＰ回路を備えている。
【００１９】
映像・音声処理部１３で処理された映像信号は、オンスクリーンディスプレイ部１４を介してモニタ装置２に出力され、モニタ画面２０に映像が表示される。また、映像・音声処理部１３で処理された音声信号はモニタ装置２に出力され、スピーカから音声出力される。
【００２０】
オンスクリーンディスプレイ部１４は、映像・音声処理部１３から入力された映像信号に所定の表示画像を重畳させる。リモコン１５は、ユーザが視聴するチャンネルを選択する際に、ユーザによるチャンネルアップキー１５ａ及びチャンネルダウンキー１５ｂの操作に応じた赤外線信号等の無線信号を送出する。リモコン受信部１６は、リモコン１５から送出された信号を受信し、制御部１７へ出力する。
【００２１】
制御部（チャンネル制御手段）１７は、不図示のＲＯＭに記憶されているプログラムに従って各種処理を実行してＴＶ放送信号受信装置１全体を制御し、ユーザによるチャンネル選択操作に基づいてチャンネルの選局処理を制御する。また、制御部１７は、後述する番組表示処理の際に、ユーザによって選択されたチャンネルが含まれる物理チャンネルに複数のサブチャンネルが存在するか否か判断すると共に、複数のサブチャンネルが存在する場合には、これらサブチャンネルのうちでユーザによって選択されたチャンネル以外のサブチャンネルが、ユーザによって選択されたチャンネルより前にあるか後にあるか判断する判断手段として機能する。
【００２２】
また、制御部１７は、ＡＴＳＣフロントエンド１２Ａ，１２Ｂにより抽出された番組配列情報を含むＴＳパケットを解析してチャンネルマップを作成し、メモリ１８は、制御部１７により作成されたチャンネルマップを記憶する。また、メモリ（キャプチャ手段）１８は、ＡＴＳＣフロントエンド１２Ａ，１２Ｂにより抽出され、ＭＰＥＧデコーダによりデコードされた１フレーム分の映像信号を静止画として記憶する。
【００２３】
図２に示されるように、チャンネルマップ３０は、物理チャンネル番号３１と、これに対応する仮想チャンネル番号３２を有している。１つの物理チャンネルには、複数のサブチャンネルが含まれる場合があり、例えば、図２において、物理チャンネル”３”は２つのサブチャンネル（仮想チャンネル”１０−１”及び仮想チャンネル”１０−２”）を有している。なお、以下においては、ユーザによって選択されたチャンネルの前のチャンネル（例えば、ユーザによって選択されたチャンネルを仮想チャンネル”１０−２”とした場合における仮想チャンネル”１０−１”）をＤＯＷＮ方向のチャンネルといい、ユーザによって選択されたチャンネルの後のチャンネル（例えば、ユーザによって選択されたチャンネルを仮想チャンネル”１０−２”とした場合における仮想チャンネル”１９−１”）をＵＰ方向のチャンネルという。
【００２４】
次に、図３を参照して、ＴＶ放送信号受信装置１による番組表示処理について、ユーザがチャンネルダウンキー１５ｂを操作してチャンネルを選択した場合を例に説明する。なお、チャンネルアップキー１５ａが操作された場合の番組表示処理は、以下の説明において、ＵＰ方向をＤＯＷＮ方向に置き換え、ＤＯＷＮ方向をＵＰ方向に置き換えた処理となる。
【００２５】
ユーザによりチャンネルダウンキー１５ｂが押下され、親画面として表示するチャンネルが選択されると、制御部１７は、ユーザによって選択されたチャンネルが含まれる物理チャンネルに複数のサブチャンネルが存在するか否か判断する（＃１）。そして、ユーザによって選択されたチャンネルが含まれる物理チャンネルに複数のサブチャンネルが存在しないと判断される場合には（＃１でＮＯ）、制御部１７は、ユーザによって選択されたチャンネルをチューナ１１Ａに受信させると共に、ユーザによって選択されたチャンネルのＤＯＷＮ方向（前）のチャンネルをチューナ１１Ｂに受信させる。ＡＴＳＣフロントエンド１２Ａは、ユーザによって選択されたチャンネルの映像信号を抽出し、ＡＴＳＣフロントエンド１２Ｂは、ユーザによって選択されたチャンネルのＤＯＷＮ方向（前）のチャンネルの映像信号を抽出する。メモリ１８は、チャンネルダウンキー１５ｂが押下される前に受信していたチャンネル（ユーザによって選択されたチャンネルの前後のチャンネルのうち、チューナ１１Ｂ（第２のチューナ）により受信されない方のチャンネル、すなわちＵＰ方向（後）のチャンネル）の静止画を記憶する。そして、映像・音声処理部１３は、ユーザによって選択されたチャンネルの映像信号をライブ（動画）で親画面として出力すると共に、ユーザによって選択されたチャンネルのＤＯＷＮ方向（前）のチャンネルの映像信号をライブで子画面として出力し、ＵＰ方向（後）のチャンネルの静止画を子画面として出力する（＃２）。
【００２６】
一方、制御部１７は、ユーザによって選択されたチャンネルが含まれる物理チャンネルに複数のサブチャンネルが存在すると判断される場合には（＃１でＹＥＳ）、更に、これらサブチャンネルのうちでユーザによって選択されたチャンネル以外のサブチャンネルが、ユーザによって選択されたチャンネルよりＤＯＷＮ方向（前）にあるかＵＰ方向（後）にあるか判断する（＃３）。
【００２７】
そして、ユーザによって選択されたチャンネル以外のサブチャンネルが、ユーザによって選択されたチャンネルよりＤＯＷＮ方向（前）にあると判断される場合には（＃３でＮＯ）、制御部１７は、ユーザによって選択されたチャンネルが含まれる物理チャンネルをチューナ１１Ａに受信させると共に、ユーザによって選択されたチャンネルのＵＰ方向（後）のチャンネルをチューナ１１Ｂに受信させる。ＡＴＳＣフロントエンド１２Ａは、ユーザによって選択されたチャンネルの映像信号、及びユーザによって選択されたチャンネルのＤＯＷＮ方向（前）のチャンネルの映像信号を抽出し、ＡＴＳＣフロントエンド１２Ｂは、ユーザによって選択されたチャンネルのＵＰ方向（後）のチャンネルの映像信号を抽出する。そして、映像・音声処理部１３は、ユーザによって選択されたチャンネルの映像信号をライブで親画面として出力すると共に、ユーザによって選択されたチャンネルのＤＯＷＮ方向（前）のチャンネル及びＵＰ方向（後）のチャンネルの映像信号をライブで子画面として出力する（＃４）。
【００２８】
一方、ユーザによって選択されたチャンネル以外のサブチャンネルが、ユーザによって選択されたチャンネルよりＵＰ方向（後）にあると判断される場合には（＃３でＹＥＳ）、制御部１７は、ユーザによって選択されたチャンネルが含まれる物理チャンネルをチューナ１１Ａに受信させると共に、ユーザによって選択されたチャンネルのＤＯＷＮ方向（前）のチャンネルをチューナ１１Ｂに受信させる。ＡＴＳＣフロントエンド１２Ａは、ユーザによって選択されたチャンネルの映像信号、及びユーザによって選択されたチャンネルのＵＰ方向（後）のチャンネルの映像信号を抽出し、ＡＴＳＣフロントエンド１２Ｂは、ユーザによって選択されたチャンネルのＤＯＷＮ方向（前）のチャンネルの映像信号を抽出する。映像・音声処理部１３は、ユーザによって選択されたチャンネルの映像信号をライブで親画面として出力すると共に、ユーザによって選択されたチャンネルのＤＯＷＮ方向（前）のチャンネル及びＵＰ方向（後）のチャンネルの映像信号をライブで子画面として出力する（＃５）。
【００２９】
次に、図２乃至図４を参照して上記番組表示処理をより具体的に説明する。ユーザが仮想チャンネル番号”１９−１”の視聴中に、チャンネルダウンキー１５ｂを１回押して仮想チャンネル番号”１０−２”を選択すると、制御部１７は、ユーザによって選択されたチャンネル”１０−２”が含まれる物理チャンネル”３”に複数のサブチャンネルが存在するか否か判断する（＃１）。物理チャンネル”３”には仮想チャンネル”１０−１”及び仮想チャンネル”１０−２”が存在するので（＃１でＹＥＳ）、更に、ユーザによって選択された仮想チャンネル”１０−２”より仮想チャンネル”１０−１”が、ＤＯＷＮ方向（前）にあるかＵＰ方向（後）にあるか判断される（＃３）。仮想チャンネル”１０−１”は、ユーザによって選択された仮想チャンネル”１０−２”よりＤＯＷＮ方向（前）にあるので（＃３でＮＯ）、制御部１７は、物理チャンネル”３”をチューナ１１Ａに受信させると共に、ユーザによって選択されたチャンネルのＵＰ方向（後）の物理チャンネル”４”（仮想チャンネル”１９−１”）をチューナ１１Ｂに受信させる。ＡＴＳＣフロントエンド１２Ａは、仮想チャンネル”１０−２”の映像信号、及び仮想チャンネル”１０−１”の映像信号を抽出し、ＡＴＳＣフロントエンド１２Ｂは、物理チャンネル”４”（仮想チャンネル”１９−１”）の映像信号を抽出する。そして、図４に示されるように、映像・音声処理部１３は、仮想チャンネル”１０−２”の映像信号をライブで親画面２１として出力すると共に、仮想チャンネル”１０−１”及び仮想チャンネル”１９−１”の映像信号をライブで子画面２２，２３として出力する（＃４）。
【００３０】
このように、本実施形態のＴＶ放送信号受信装置１によれば、ユーザによって選択されたチャンネルが含まれる物理チャンネルに複数のサブチャンネルが存在する場合に、ユーザによって選択されたチャンネルの映像信号が親画面として出力されると共に、ユーザによって選択されたチャンネルのＤＯＷＮ方向（前）のチャンネル及びＵＰ方向（後）のチャンネルの映像信号が子画面として出力されるので、ユーザは選択したチャンネルのＤＯＷＮ方向（前）のチャンネル及びＵＰ方向（後）のチャンネルのテレビ番組を動画で確認することができる。
【００３１】
また、ユーザによって選択されたチャンネルが含まれる物理チャンネルに複数のサブチャンネルが存在しない場合には、ユーザによって選択されたチャンネルの映像信号が親画面として出力されると共に、ユーザによって選択されたチャンネルのＤＯＷＮ方向（前）のチャンネル及びＵＰ方向（後）のチャンネルのうちのいずれか一方のチャンネルの映像信号が子画面として出力され、もう一方のチャンネルの静止画が子画面として出力されるので、ユーザは、物理チャンネルに複数のサブチャンネルが存在しない場合であっても、選択したチャンネルのＤＯＷＮ方向（前）のチャンネル及びＵＰ方向（後）のチャンネルのテレビ番組を動画及び静止画で確認することができる。
【００３２】
なお、本発明は上記実施形態の構成に限られることなく種々の変形が可能である。例えば、上記実施形態においては、チャンネルアップキー１５ａ及びチャンネルダウンキー１５ｂによりチャンネルを選択する場合について説明したが、本発明はチャンネル番号をキーパッド等で直接入力して、チャンネルを選択する場合にも適用可能である。
【図面の簡単な説明】
【００３３】
【図１】本発明の一実施形態に係るディジタルテレビジョン放送信号受信装置の構成を示すブロック図。
【図２】同受信装置のメモリに記憶されるチャンネルマップを示す図。
【図３】同受信装置の番組表示処理を示すフローチャート。
【図４】同番組表示処理時のモニタ画面を示す図。
【符号の説明】
【００３４】
１    ディジタルテレビジョン放送信号受信装置
１０  アンテナ
１１Ａ，１１Ｂ  チューナ
１２Ａ，１２Ｂ  ＡＴＳＣフロントエンド
１３  映像・音声処理部
１４  オンスクリーンディスプレイ部
１５  リモコン
１６  リモコン受信部
１７  制御部
１８  メモリ
【図１】
2006067205.tif 000003
【図２】
2006067205.tif 000004
【図３】
2006067205.tif 000005
【図４】
2006067205.tif 000006